(57)【特許請求の範囲】
【請求項１】
建造物の排水溝に設けられるとともに、前記建造物の隣り合う住戸を仕切る戸境部に渡って配置される基部と、
前記基部の両端に回転可能に設けられたストレーナと、
を備えることを特徴とするドレインカバー。
【請求項２】
前記基部及び前記ストレーナに設けられた回転軸と、
前記基部に設けられ、前記ストレーナの回転を規制可能な規制部を備えることを特徴とする請求項１に記載のドレインカバー。
【請求項３】
前記回転軸は、前記基部に固定され、
前記ストレーナは、前記回転軸に挿通される孔部、及び、前記ストレーナの外面から突出する把持部を有することを特徴とする請求項２に記載のドレインカバー。
【請求項４】
建造物の排水溝に設けられるとともに、前記建造物の隣り合う住戸を仕切る戸境部に渡って配置される、ドレイン口を有するドレイン本体と、
前記ドレイン本体の上部を覆い、前記戸境部に渡って設けられる基部及び前記基部の両端に回転可能に設けられたストレーナを有するドレインカバーと、
を備えることを特徴とするルーフドレイン。
【請求項５】
前記基部及び前記ストレーナに設けられた回転軸と、
前記基部に設けられ、前記ストレーナの回転を規制可能な規制部を備えることを特徴とする請求項４に記載のルーフドレイン。
【請求項６】
前記回転軸は、前記基部に固定され、
前記ストレーナは、前記回転軸に挿通される孔部、及び、前記ストレーナの外面から突出する把持部を有することを特徴とする請求項５に記載のルーフドレイン。
【請求項７】
建造物の張出部に設けられ、前記張出部の隣り合う住戸を仕切る戸境部に渡って設けられた排水溝と、
前記排水溝に設けられ、前記建造物の隣り合う住戸を仕切る戸境部に渡って配置される、ドレイン口を有するドレイン本体と、
前記ドレイン本体の上部を覆い、前記戸境部に渡って設けられる基部及び前記基部の両端に回転可能に設けられたストレーナを有するドレインカバーと、
を備えることを特徴とする排水構造。
【請求項８】
前記基部及び前記ストレーナに設けられた回転軸と、
前記基部に設けられ、前記ストレーナの回転を規制可能な規制部を備えることを特徴とする請求項７に記載の排水構造。
【請求項９】
前記回転軸は、前記基部に固定され、
前記ストレーナは、前記回転軸に挿通される孔部、及び、前記ストレーナの外面から突出する把持部を有することを特徴とする請求項８に記載の排水構造。
【請求項１０】
前記排水溝に設けられ、両端に溝部が形成された円筒状の打込スペーサと、
前記張出部の下面に構成され、前記溝部と係合する突出部が形成された開口を有する板状部材と、
外周面に前記溝部と係合する突出部が形成され前記ドレイン本体に設けられた円筒状のドレイン口と、
を備え、
前記張出部及び前記排水溝は、前記板状部材上にコンクリートが打設されたコンクリート層により構成されることを特徴とする請求項７に記載の排水構造。
【発明の詳細な説明】
【技術分野】
【０００１】
本発明は、建造物のベランダ、バルコニー、廊下及び屋根等において排水を行うためのドレインカバー、ルーフドレイン及び排水構造に関する。
【背景技術】
【０００２】
建造物のベランダ、バルコニー、廊下及び屋根等の張出部において、雨水等を排水するためのルーフドレインが知られている（例えば、特許文献１参照）。このようなルーフドレインは、張出部の排水溝に設けられた縦樋に設けられたドレイン本体を、ストレーナ等で覆うことで、ドレイン本体内にゴミや枯れ葉等の所定の大きさの異物が侵入することを防止する。
【先行技術文献】
【特許文献】
【０００３】
【特許文献１】特開２００９-１６２０２２号公報
【発明の概要】
【発明が解決しようとする課題】
【０００４】
上述した排水構造に用いられるルーフドレインでは、以下の問題があった。即ち、建造物がマンションやアパート等の集合住宅の場合、排水構造は、隣り合う住戸で共用される。即ち、ルーフドレインは、ベランダ等の張出部に設けられた排水溝のうち、隣り合う住戸を仕切る戸境部の下方に一つだけ配置され、隣り合う住戸で用いられる。しかし、戸境部の真下にルーフドレインを設置することができない場合があり、隣り合う住居の一方に排水構造が設けられる。このため、排水構造の掃除を行う場合に、隣り合う住戸の一方でしか行うことができない。
【０００５】
また、戸境部の真下にルーフドレインを設置できたとしても、ルーフドレインのストレーナが両住戸に跨がる。このため、ストレーナが隣り合う住戸の各領域に配置されることが望まれている。
【０００６】
そこで本発明は、一つのドレイン本体であっても、戸境部を挟んで双方から掃除を行うことが可能なドレインカバー、ルーフドレイン及び排水構造を提供することを目的とする。
【課題を解決するための手段】
【０００７】
前記課題を解決し目的を達成するために、本発明のドレインカバー、ルーフドレイン及び排水構造は次のように構成されている。
【０００８】
本発明の一態様として、ドレインカバーは、建造物の排水溝に設けられるとともに、前記建造物の隣り合う住戸を仕切る戸境部に渡って配置される基部と、前記基部の両端に回転可能に設けられたストレーナと、を備える。
【０００９】
本発明の一態様として、ルーフドレインは、建造物の排水溝に設けられるとともに、前記建造物の隣り合う住戸を仕切る戸境部に渡って配置される、ドレイン口を有するドレイン本体と、前記ドレイン本体の上部を覆い、前記戸境部に渡って設けられる基部及び前記基部の両端に回転可能に設けられたストレーナを有するドレインカバーと、を備える。
【００１０】
本発明の一態様として、排水構造は、建造物の張出部に設けられ、前記張出部の隣り合う住戸を仕切る戸境部に渡って設けられた排水溝と、前記排水溝に設けられ、前記建造物の隣り合う住戸を仕切る戸境部に渡って配置される、ドレイン口を有するドレイン本体と、前記ドレイン本体の上部を覆い、前記戸境部に渡って設けられる基部及び前記基部の両端に回転可能に設けられたストレーナを有するドレインカバーと、を備える。
【発明の効果】
【００１１】
本発明によれば、一つのドレイン本体であっても、戸境部を挟んで双方から掃除を行うことが可能なドレインカバー、ルーフドレイン及び排水構造を提供することが可能となる。
【図面の簡単な説明】
【００１２】
【図１】本発明の一実施形態に係る排水構造の構成を示す一部断面で示す説明図。
【図２】同排水構造の使用の一例を模式的に示す説明図。
【図３】同排水構造に用いられるドレイン本体の構成を示す平面図。
【図４】同排水構造に用いられるドレインカバーの構成を一部断面で示す側面図。
【図５】同ドレインカバーの構成を示す平面図。
【図６】本発明の一実施形態に係る排水構造に用いられるドレインカバーの構成を一部省略して示す平面図。
【発明を実施するための形態】
【００１３】
以下、本発明の一実施形態に係る排水構造１を、図１乃至図５を用いて説明する。  
図１は本発明の一実施形態に係る排水構造１の構成を示す一部断面で示す説明図、図２は排水構造１の使用の一例を模式的に示す説明図、図３は排水構造１に用いられるドレイン本体１１の構成を示す平面図、図４は排水構造１に用いられるドレインカバー１２の構成を一部断面で示す側面図、図５はドレインカバー１２の構成を示す平面図である。
【００１４】
排水構造１は、ビルやマンション等の建造物１００のベランダ、バルコニー、廊下及び屋根等の張出部１１０に配置される。本実施形態においては、一例として、建造物１００の張出部１１０をベランダ１１０とし、当該ベランダ１１０に排水構造１が用いられる構成を説明する。
【００１５】
建造物１００のベランダ１１０は、例えば、鋼板１２０と、鋼板１２０上に、排水溝１３１を有して打設されたコンクリート層１３０と、鋼板１２０上に設けられた円筒状の打込スペーサ１４０と、打込スペーサ１４０内に配置された円筒状の縦樋１５０と、を備えている。また、ベランダ１１０には、隣り合う住戸を隔てる戸境部１６０が設けられる。戸境部１６０は、ベランダ１１０を隔てる所謂、隔て板である。
【００１６】
鋼板１２０は、ベランダ１１０の下面を構成する。鋼板１２０は、打込スペーサ１４０が配置される円状の開口部１２１を有する。鋼板１２０の開口部１２１の内周面は、複数の突出部１２２を有する。なお、鋼板１２０は、ベランダ１１０の下面を構成可能な板状部材であり、例えば、当該板状部材は、木材や樹脂材料により構成されていてもよい。
【００１７】
コンクリート層１３０は、鋼板１２０上であって、打込スペーサ１４０の間にコンクリートを打設することで構成される。排水溝１３１は、一方向に延設してコンクリート層１３０の上面に設けられる。
【００１８】
打込スペーサ１４０は、円筒状に構成され、その両端部に、複数の溝部１４１を有する。打込スペーサ１４０の下端部の溝部１４１は、打込スペーサ１４０の軸周りに打込スペーサ１４０が回転することを規制可能に、鋼板１２０の突出部１２２と係合する。
【００１９】
縦樋１５０は、打込スペーサ１４０の外径よりも小径の配管であり、打込スペーサ１４０内に配置される。
【００２０】
図１及び図２に示すように、排水構造１は、建造物１００のベランダ１１０等に設けられた排水溝１３１と、排水溝１３１に設けられたドレイン本体１１と、ドレイン本体１１を覆うドレインカバー１２と、ドレイン本体１１及びドレインカバー１２を固定する締結部材１３と、を備えている。排水構造１は、建造物１００のベランダ１１０等の打設時に、排水溝１３１にドレイン本体１１を固定することで、建造物１００に設けられる。
【００２１】
また、ドレイン本体１１及びドレインカバー１２は、ルーフドレイン２を構成する。
【００２２】
図１乃至図３に示すように、ドレイン本体１１は、排水溝１１１の長手方向に沿って延びる受け部２１と、受け部２１の長手方向の一端側に設けられたドレイン口２２と、を備えている。ドレイン本体１１は、受け部２１で雨水を受けるとともに、受けた雨水をドレイン口２２から排水可能に構成される。
【００２３】
受け部２１は、図３に示すように、上面視で排水溝１１１の長手方向に沿った長方形状に構成される。受け部２１は、図１及び図２に示すように、その上面が傾斜して構成される。受け部２１は、長手方向に沿った一対の外縁に側壁３１を有する。側壁３１は、中央部に方形状に窪む凹部３２を有する。また、側壁３１は、凹部３２が設けられた側壁３１の内面から受け部２１の内方に突出し、その上面に雌螺子部３３ａが設けられた支持部３３を有する。
【００２４】
また、受け部２１は、長手方向の両端側の傾斜面上に、排水溝１３１に受け部２１が固定された状態で略水平方向に面方向が配置される座面３４を有する。
【００２５】
受け部２１は、その上面が、ドレイン口２２まで傾斜して構成される。受け部２１は、その底面に、コンクリート層１３０に配置される複数のアンカーボルト３６を有する。
【００２６】
支持部３３は、一対が受け部２１の対称位置に配置される。支持部３３は、受け部２１の側壁３１の凹部３２と面一の上面を有する。換言すると、支持部３３の上面は、受け部２１の側壁３１の上端よりも低位置に配置される。支持部３３の上面の面方向は、座面３４の面方向と略同一に構成された直方体状に構成される。
【００２７】
座面３４は、例えば、長手方向の両端側、且つ、長手方向に沿った一対の外縁側にそれぞれ設けられる。換言すると、座面３４は、受け部２１の四隅に設けられた上面が平面の突起である。
【００２８】
ドレイン口２２は、受け部２１の下面から下方に向かって円筒状に突出する。ドレイン口２２は、受け部２１の長手方向の一方側に配置され、戸境部１６０を挟んで隣り合う一方側の住戸側の排水溝１３１に配置される。ドレイン口２２の外周面は、打込スペーサ１４０の溝部１４１と係合する複数の突出部２２ａを有する。
【００２９】
図１、図２、図４及び図５に示すように、ドレインカバー１２は、基部４１と、基部４１の両端に設けられたストレーナ４２と、ストレーナ４２を回転可能に支持する回転軸４３と、ストレーナ４２の移動を規制する規制部材４４と、を備えている。
【００３０】
基部４１は、受け部２１の中心側を覆う方体状の天壁５１と、受け部２１の側壁３１と対向する一対の縁部に設けられた側壁５２と、を備えている。換言すると、基部４１は、天壁５１及び一対の側壁５２により、受け部２１の長手方向に直交する断面形状がコの字型に構成される。
【００３１】
天壁５１には、規制部材４４が設けられる。天壁５１は、受け部２１の支持部３３の雌螺子部３３ａと対向する位置に、締結部材１３を挿通する孔部５１ａを有する。
【００３２】
側壁５２は、受け部２１の側壁３１に設けられた凹部３２と係合する方体状の突出部５２ｂを有する。側壁５２は、両端側に回転軸４３を固定する開口部５２ａを有する。一対の側壁５２の間隙は、当該間隙にストレーナ４２を配置可能な幅を有する。
【００３３】
開口部５２ａは、回転軸４３を固定可能に構成される。開口部５２ａは、例えば、回転軸４３と螺合する雌螺子が内周面に設けられる。また、側壁５２は、天壁５１の端部よりも、受け部２１の長手方向に突出して設けられ、当該突出する部位に、開口部５２ａが配置される。
【００３４】
ストレーナ４２は、例えば、鋳造により製造される。ストレーナ４２は、基部４１の両端部にそれぞれ設けられる。ストレーナ４２は、基部４１の両端部をそれぞれ覆う。ストレーナ４２は、所定の幅の開口４２ａを複数有する格子状に構成される。
【００３５】
例えば、ストレーナ４２は、上面の基部４１側が平坦であって、且つ、先端側が傾斜する天壁部６１と、天壁部６１の側面に設けられた側壁部６２と、を備えている。天壁部６１は、開口４２ａを有する格子状に構成される。側壁部６２は、回転軸４３を挿通する開口部６２ａを有する。側壁部６２は、先端の下端面が、受け部２１の座面３４と当接する。
【００３６】
また、ストレーナ４２は、天壁部６１の一部が、天壁部６１の外面から突出する把持部６１ａを有する。把持部６１ａは、例えば、格子状の一部が上方に突出することで構成される。
【００３７】
回転軸４３は、例えば、ボルトである。回転軸４３は、基部４１の開口部５２ａの雌螺子に螺合して固定されるとともに、ストレーナ４２の開口部６２ａに挿通される。回転軸４３は、ストレーナ４２を、開口部５２ａを介して回転自在に支持する。
【００３８】
規制部材４４は、基部４１の天壁５１に固定された固定部７１と、固定部７１に回転自在に設けられた舌部７２と、舌部７２を回転操作する操作部７３と、を備えている。規制部材４４は、例えば、舌部７２及び操作部７３を連結する、基部４１内に回転自在に設けられた回転軸を有し、操作部７３を回転操作することで、舌部７２の位置を可変可能に構成される。
【００３９】
舌部７２は、例えば、基部４１の天壁５１の下面側に配置される。舌部７２は、天壁５１の下側に配置されるとともに、操作部７３を介して回転操作されたときに、その先端が、ストレーナ４２の天壁部６１の下方に位置する形状に構成される。操作部７３は、天壁５１の上面側に配置される。
【００４０】
次に、このように構成された排水構造１の設置方法について説明する。  
先ず、建造物１００のベランダ１１０のコンクリート層１３０のコンクリート打設時に、ドレイン本体１１を排水溝１３１に位置する部位に設ける。具体的には、ベランダ１１０を構成する鋼板１２０の開口部１２１に打込スペーサ１４０を配置し、打込スペーサ１４０の上面にドレイン本体１１のドレイン口２２を取り付ける。このとき、鋼板１２０の突出部１２２及び打込スペーサ１４０の溝部１４１を係合させるとともに、ドレイン口２２の突出部２２ａ及び打込スペーサ１４０の溝部１４１を係合させる。
【００４１】
また、ドレイン本体１１を鋼板１２０及び打込スペーサ１４０に固定する固定座、固定バー、固定ボルト等を用いて、鋼板１２０及びドレイン本体１１を一体に固定する。これらの工程により、鋼板１２０に対して、打込スペーサ１４０及びドレイン本体１１が回転することを規制した状態で、鋼板１２０、打込スペーサ１４０及びドレイン本体１１が固定される。
【００４２】
次に、鋼板１２０及び打込スペーサ１４０により構成される空間にコンクリートを打設してコンクリート層１３０を形成する。このとき、コンクリート層１３０に排水溝１３１を形成する。これにより、ドレイン本体１１が排水溝１３１に一体に設けられる。次に、鋼板１２０、打込スペーサ１４０及びドレイン本体１１を固定した固定座、固定バー、固定ボルト等を取り外す。
【００４３】
次に、基部４１に回転軸４３を介してストレーナ４２が固定されたドレインカバー１２を、受け部２１上に載置する。このとき、受け部２１の凹部３２と基部４１の突出部５２ｂを係合させるとともに、受け部２１の支持部３３の雌螺子部３３ａと基部４１の孔部５１ａを対向させる。
【００４４】
次に、締結部材１３を基部４１の上面側から孔部５１ａに通し、支持部３３の雌螺子部３３ａと螺合させる。これら工程により、基部４１が受け部２１に固定され、ドレイン本体１１上にドレインカバー１２が固定され、排水構造１が構成される。
【００４５】
次に、このように構成された排水構造１の使用方法について説明する。
【００４６】
先ず、通常時においては、図１に示すように、ストレーナ４２を側壁部６２の下面が受け部２１の座面３４に当接した状態とし、且つ、規制部材４４の舌部７２がストレーナ４２の下面に位置した状態にする。この状態により、ドレインカバー１２は、異物がストレーナ４２により遮られて受け部２１に侵入することを防止する。また、ストレーナ４２は、回転軸４３を中心とする回転移動が規制される。即ち、ストレーナ４２が持ち上げられると、ストレーナ４２の下面が舌部７２に当接し、ストレーナ４２の回転が規制される。
【００４７】
次に、受け部２１の掃除を行う場合においては、先ず、戸境部１６０を挟んで一方側の使用者が規制部材４４の操作部７３を操作して、舌部７２をストレーナ４２の下面から基部４１の天壁５１の下部に移動させる。次に、ストレーナ４２の把持部６１ａを持って上方に持ち上げて、ストレーナ４２を図２に二点鎖線及び矢印で示すように、回転軸４３を中心に回転移動させる。ストレーナ４２が９０°以上回転し、ストレーナ４２の天壁部６１が垂直状態を越えると、基部４１の天壁５１とストレーナ４２の天壁部６１が当接し、ストレーナ４２の回転が規制される。回転が規制されたストレーナ４２は、略直立した状態で維持され、受け部２１が開放される。これにより、受け部２１の掃除が可能となる。
【００４８】
受け部２１の掃除の終了後、ストレーナ４２を回転させて、受け部２１の座面３４及びストレーナ４２の側壁部６２の下面を当接させて、規制部材４４の操作部７３を操作して、舌部７２をストレーナ４２の下面に配置させる。これらのように、排水構造１の使用として、上述の工程が行われる。
【００４９】
このように構成された排水構造１によれば、戸境部１６０を跨いで排水溝１３１に設けられたドレイン本体１１の受け部２１を覆うドレインカバー１２の長手方向の両端に、回転することで開閉可能なストレーナ４２を有する構成である。
【００５０】
このような構成の排水構造１は、戸境部１６０を挟んだ各住戸の一方からストレーナ４２を回転させることで、一つの受け部２１を有する構成であっても、戸境部１６０を挟んでそれぞれから受け部２１を掃除可能となる。
【００５１】
また、ドレインカバー１２は、ストレーナ４２に把持部６１ａを設けたことから、掃除の時にストレーナ４２の回転操作が容易となる。特に、ストレーナ４２は、金属材料を用いた鋳物品であることから、重量が比較的重くなるため、把持部６１ａを設けることで操作性が向上する。
【００５２】
また、ストレーナ４２は、規制部材４４の舌部７２を当接可能とすることで、掃除を行わないときに、ストレーナ４２の開閉を規制することができる。特に、住戸に用いられることから、規制部材４４によりストレーナ４２の回転を規制することで、掃除時以外における子供等による不要なストレーナ４２の開閉を防止できる。
【００５３】
また、舌部７２は、基部４１の天壁５１の下方に配置されることから、風雨に曝されることを極力防止可能となる。これにより、雨水や砂塵等が舌部７２の摺動部等、例えば操作部７３及び舌部７２を連結する回転軸等に付着することを防止可能となる。
【００５４】
また、ストレーナ４２の回転軸４３は、基部４１に固定し、ストレーナ４２が回転軸４３の周囲を回転可能な構成である。また、ストレーナ４２は、基部４１の側壁５２の天壁５１から突出する部位に覆われる構成、換言すると側壁５２間に配置される構成である。このため、回転軸４３の外周面及びストレーナ４２の開口部６２ａの内周面の間隙が外部に露出することを極力防止できることから、当該間隙が風雨にさらされることを防止できる。結果、雨水や砂塵等が回転軸４３及びストレーナ４２の間隙に侵入することを防止可能となり、回転軸４３及びストレーナ４２の間隙の異物の噛み込みや、回転軸４３及び開口部６２ａの塗装等の表面処理が剥離や損傷すること等による錆の発生等を極力防止できる。
【００５５】
また、ドレインカバー１２は、排水溝１３１に設けた受け部２１の凹部３２に突出部５２ｂを係合したあと、天壁５１の孔部５１ａに締結部材１３を挿通し、締結部材１３を支持部３３の雌螺子部３３ａに締結する簡単な構成である。このため、ドレインカバー１２をドレイン本体１１に容易に組み立てることが可能となる。
【００５６】
また、排水構造１は、ドレイン口２２及び鋼板１２０に突出部２２ａ、１２２を設け、これら突出部２２ａ、１２２と係合する溝部１４１を打込スペーサ１４０に設け、鋼板１２０に対して打込スペーサ１４０及びドレイン本体１１が打込スペーサ１４０の軸周りに回転することを防止する構成である。このため、ベランダ１１０のコンクリート層１３０の打設時に、打込スペーサ１４０及びドレイン本体１１が回転することを防止できる。特に、ルーフドレイン２は、ドレイン本体１１及びドレインカバー１２が隣り合う住戸に跨がる構成であることから、上面視で長方形状となり、打設時にドレイン本体１１が回転すると、回転角度が小さくても、ルーフドレイン２の端部における排水溝１３１からのずれ量が大きくなる。しかし、上述のように、打設時にドレイン本体１１が回転することを防止できることから、容易に排水溝１３１に沿ってドレイン本体１１を設けることが可能となり、設置後の見栄えを良くすることが可能となる。
【００５７】
上述したように本発明の一実施形態に係る排水構造１によれば、一つのドレイン本体１１であっても、戸境部を挟んで双方から掃除を行うことが可能となる。
【００５８】
なお、本発明は前記実施形態に限定されるものではない。例えば、上述した例では、規制部材４４の舌部７２をドレインカバー１２の天壁５１の下方に配置する構成を説明したがこれに限定されず、舌部７２及び操作部７４を天壁５１の上方に配置する構成であってもよい。
【００５９】
また、上述した例では、規制部材４４は、操作部７４を回転させることで、ストレーナ４２の回転を規制する規制部である舌部７２を回転させて、ストレーナ４２の回転範囲に対して移動する構成を説明したがこの構成に限定されない。
【００６０】
例えば、図６に示す他の実施形態に係る排水構造１のドレインカバー１２Ａのように、規制部材４４Ａは、天壁５１の上面に、受け部２１の長手方向に沿ってスライド可能な構成であってもよい。このような構成の規制部材４４Ａは、例えば、ドレインカバー１２Ａの天壁５１に、二つのガイド部８１と、ガイド部８１により直線状に案内されて移動するスライド板８２と、を備えている。
【００６１】
ガイド部８１は、天壁５１に固定されたボルトやピン等である。スライド板８２は、ガイド部８１が挿通され、移動方向に長い、受け部２１の長手方向に延びる長穴部８２ａを２つ有する。スライド板８２は、長穴部８２ａがガイド部８１によって移動することで、スライド板８２の先端がストレーナ４２の上面に位置し、且つ、ストレーナ４２の上面から退避する。
【００６２】
このような規制部材４４Ａは、使用者がスライド板８２をスライド操作することにより、ストレーナ４２の上面にスライド板８２の先端が位置することで、ストレーナ４２の回転移動を規制可能に構成される。
【００６３】
また、上述した例では、ストレーナ４２は、天壁部６１の基部４１側が平面状であり、先端側が傾斜する構成を説明したがこれに限定されず。ドーム状であってもよい。この他、本発明の要旨を逸脱しない範囲で種々変形実施可能である。
以下に、本願出願の当初の特許請求の範囲に記載された発明を付記する。
［１］  建造物の排水溝であって、且つ、隣り合う住戸を仕切る戸境部に渡って設けられる基部と、
前記基部の両端に回転可能に設けられたストレーナと、
を備えることを特徴とするドレインカバー。
［２］  前記基部及び前記ストレーナに設けられた回転軸と、
前記基部に設けられ、前記ストレーナの回転を規制可能な規制部を備えることを特徴とする［１］に記載のドレインカバー。
［３］  前記回転軸は、前記基部に固定され、
前記ストレーナは、前記回転軸に挿通される孔部、及び、前記ストレーナの外面から突出する把持部を有することを特徴とする［２］に記載のドレインカバー。
［４］  建造物の排水溝であって、且つ、隣り合う住戸を仕切る戸境部に渡って設けられ、ドレイン口を有するドレイン本体と、
前記ドレイン本体の上部を覆い、前記戸境部に渡って設けられる基部及び前記基部の両端に回転可能に設けられたストレーナを有するドレインカバーと、
を備えることを特徴とするルーフドレイン。
［５］前記基部及び前記ストレーナに設けられた回転軸と、
前記基部に設けられ、前記ストレーナの回転を規制可能な規制部を備えることを特徴とする［４］に記載のルーフドレイン。
［６］前記回転軸は、前記基部に固定され、
前記ストレーナは、前記回転軸に挿通される孔部、及び、前記ストレーナの外面から突出する把持部を有することを特徴とする［５］に記載のルーフドレイン。
［７］建造物の張出部に設けられ、前記張出部の隣り合う住戸を仕切る戸境部に渡って設けられた排水溝と、
前記排水溝であって、且つ、隣り合う住戸を仕切る戸境部に渡って設けられ、ドレイン口を有するドレイン本体と、
前記ドレイン本体の上部を覆い、前記戸境部に渡って設けられる基部及び前記基部の両端に回転可能に設けられたストレーナを有するドレインカバーと、
を備えることを特徴とする排水構造。
［８］前記基部及び前記ストレーナに設けられた回転軸と、
前記基部に設けられ、前記ストレーナの回転を規制可能な規制部を備えることを特徴とする［７］に記載の排水構造。
［９］前記回転軸は、前記基部に固定され、
前記ストレーナは、前記回転軸に挿通される孔部、及び、前記ストレーナの外面から突出する把持部を有することを特徴とする［８］に記載の排水構造。
［１０］前記排水溝に設けられ、両端に溝部が形成された円筒状の打込スペーサと、
前記張出部の下面に構成され、前記溝部と係合する突出部が形成された開口を有する板状部材と、
外周面に前記溝部と係合する突出部が形成され前記ドレイン本体に設けられた円筒状のドレイン口と、
を備え、
前記張出部及び前記排水溝は、前記板状部材上にコンクリートが打設されたコンクリート層により構成されることを特徴とする［７］に記載の排水構造。
【符号の説明】
【００６４】
１…排水構造、２…ルーフドレイン、１１…ドレイン本体、１２、１２Ａ…ドレインカバー、１３…締結部材、２１…受け部、２２…ドレイン口、２２ａ…突出部、３１…側壁、３２…凹部、３３…支持部、３３ａ…雌螺子部、３４…座面、３６…アンカーボルト、４１…基部、４２…ストレーナ、４２ａ…開口、４３…回転軸、４４…規制部材、４４Ａ…規制部材、５１…天壁、５１ａ…孔部、５２…側壁、５２ａ…開口部、５２ｂ…突出部、６１…天壁部、６１ａ…把持部、６２…側壁部、６２ａ…開口部、７１…固定部、７２…舌部、７３…操作部、７４…操作部、８１…ガイド部、８２…スライド板、８２ａ…長穴部、１００…建造物、１１０…張出部、１１０…ベランダ、１１１…排水溝、１２０…鋼板、１２１…開口部、１２２…突出部、１３０…コンクリート層、１３１…排水溝、１４０…打込スペーサ、１４１…溝部、１５０…縦樋、１６０…戸境部。
【要約】
【課題】一つのドレイン本体であっても、戸境部を挟んで双方から掃除を行うことが可能なドレインカバー、ルーフドレイン及び排水構造を提供すること。
【解決手段】  建造物１００の排水構造１に用いられるルーフドレイン２は、排水溝１３１であって、且つ、隣り合う住戸を仕切る戸境部１６０に渡って設けられ、ドレイン口２２を有するドレイン本体１１と、ドレイン本体１１の上部を覆い、戸境部１６０に渡って設けられる基部４１及び基部４１の両端に回転可能に設けられたストレーナ４２を有するドレインカバー１２と、を備える構成とする。
【選択図】      図１【図１】
0005909590.tif 000002
【図２】
0005909590.tif 000003
【図３】
0005909590.tif 000004
【図４】
0005909590.tif 000005
【図５】
0005909590.tif 000006
【図６】
0005909590.tif 000007